(57)【要約】【課題】大きさや貼付される被着体の印刷レイアウトを自由に設定可能とする。【解決手段】透明フィルム２上に、所定の波長の励起光が照射された場合にのみ視認可能となるステルスインクによって識別情報３ｂ及びバーコード情報３ａを印刷し、透明フィルム２の反対側の全面に透明な粘着剤４を塗布して構成する。【選択図】図１
2007101574.tif 000002
【特許請求の範囲】
【請求項１】
ラベル基材の表面に識別情報が印字されてなる管理用ラベルであって、
前記ラベル基材は透明な材料からなり、前記識別情報は、所定波長の励起光を照射することで視認可能となるステルスインクによって印字されている管理用ラベル。
【請求項２】
請求項１に記載の管理用ラベルにおいて、
前記ラベル基材は、非接触状態にて情報の書き込み及び読み出しが可能に構成され、前記識別情報が書き込まれたＩＣチップが内蔵されていることを特徴とする管理用ラベル。
【発明の詳細な説明】
【技術分野】
【０００１】
本発明は、書類等に貼付される管理用ラベルに関する。
【背景技術】
【０００２】
従来より、物品や書類等を管理するためにバーコードが利用されている。このバーコードは、識別情報を複数本からなる黒線の幅及び間隔で表したものであり、バーコードリーダで読み取ることにより識別情報を認識することができる。
【０００３】
このようなバーコードを利用して物品や書類等を管理する場合は、管理する物品や書類等にバーコードを予め印字しておくことの他に、バーコードが印字された管理用ラベルを物品や書類等に貼付しておくことが考えられる（例えば、特許文献１参照。）。管理用ラベルが貼付された物品や書類等を管理する場合は、例えば、管理用ラベルに印字されたバーコードと、この管理用ラベルが貼付される物品の名称や書類に記載された内容とを対応づけて管理しておき、その後、物品や書類に対して所定の処理を行う際に、管理用ラベルに印字されたバーコードを読み取ることにより、そのバーコードに対応づけて管理されている物品や書類に対して所定の処理が行われたことが認識されることになる。
【特許文献１】特開２００１−２４９９９９号公報
【発明の開示】
【発明が解決しようとする課題】
【０００４】
しかしながら、上述したようにバーコードが印字された管理用ラベルが物品や書類等の被着体に貼付された場合、被着体の管理用ラベルが貼付された領域に印刷された情報が管理用ラベルによって被覆されて視認不可能となってしまう。そのため、被着体においては、管理用ラベルが貼付された場合でも印刷された情報が管理用ラベルによって被覆されないように印刷レイアウトを設計しなければならないという問題点がある。
【０００５】
また、被着体に管理用ラベルを貼付するためのスペースを設けなければならず、管理用ラベルもその貼付スペースに応じた大きさ、バーコードサイズを設定しなければならないという問題点がある。
【０００６】
本発明は、上述したような従来の技術が有する問題点に鑑みてなされたものであって、その大きさや貼付される被着体の印刷レイアウトを自由に設定することができる管理用ラベルを提供することを目的とする。
【課題を解決するための手段】
【０００７】
上記目的を達成するために本発明は、
ラベル基材の表面に識別情報が印字されてなる管理用ラベルであって、
前記ラベル基材は透明な材料からなり、前記識別情報は、所定波長の励起光を照射することで視認可能となるステルスインクによって印字されている。
【０００８】
上記のように構成された本発明においては、ラベル基材が透明な材料からなるとともに、識別情報が所定波長の励起光を照射することで視認可能となるステルスインクによって印字されているので、物品等の被着体に貼付された際、被着体の管理用ラベルが貼付された領域に印刷された情報は管理用ラベルによって被覆されているものの、視認可能な状態となっている。すなわち、管理用ラベルをどのような大きさのものとしても、また、管理用ラベルを被着体のどの領域に貼付したとしても、被着体に印刷された情報は視認可能となる。
【０００９】
また、ラベル基材に、識別情報が書き込まれたＩＣチップが内蔵されている場合は、被着体に貼付される際に被着体を示す情報の一部をＩＣチップに書き込んだ場合に、その後、ＩＣチップに書き込まれた情報を読み出す際、ＩＣチップに書き込まれた情報とラベル基材に印字された識別情報とを照合することにより、ＩＣチップに書き込まれた情報が改竄されていないかどうかや、この管理用ラベルや管理用ラベルが貼付される被着体が偽造されたものでないかどうかが検出される。
【００１０】
また、識別情報をバーコードで表現してラベル基材に印字しておく構成とすることも考えられ、その場合、所定波長の励起光を照射しながら一般的なバーコードリーダを用いて識別情報を読み取ることができる。
【発明の効果】
【００１１】
以上説明したように本発明においては、ラベル基材が透明な材料からなるとともに、識別情報が所定波長の励起光を照射することで視認可能となるステルスインクによって印字されているため、物品等の被着体に貼付された場合であっても、被着体の管理用ラベルが貼付された領域に印刷された情報が視認可能な状態となり、それにより、その大きさや貼付される被着体の印刷レイアウトを自由に設定することができる。また、識別情報が所定波長の励起光を照射することで視認可能となるステルスインクによって印字されていることから、複写による偽造を困難にすることができる。
【００１２】
また、ラベル基材に、識別情報が書き込まれたＩＣチップが内蔵されているものにおいては、被着体に貼付される際に被着体を示す情報の一部をＩＣチップに書き込み、その後、ＩＣチップに書き込まれた情報を読み出す際、ＩＣチップに書き込まれた情報とラベル基材に印字された識別情報とを照合することにより、ＩＣチップに書き込まれた情報が改竄されていないかどうかや、この管理用ラベルや管理用ラベルが貼付される被着体が偽造されたものでないかどうかを検出することができる。
【発明を実施するための最良の形態】
【００１３】
以下に、本発明の実施の形態について図面を参照して説明する。
【００１４】
（第１の実施の形態）
図１は、本発明の管理用ラベルの第１の実施の形態を示す図であり、（ａ）は表面から見た図、（ｂ）は（ａ）に示したＡ−Ａ’断面図である。
【００１５】
本形態は図１に示すように、透明フィルム２上に、識別情報３ｂ及びこの識別情報３ｂがバーコードとして表現されたバーコード情報３ａがステルスインクによって印字されて印刷層３が形成され、また、透明フィルム２の印刷層３とは反対側の全面には透明な粘着剤４が塗布されて構成されている。この透明フィルム２と粘着剤４とからラベル基材が構成される。印刷層３を形成するステルスインクは、所定の波長の励起光が照射された場合にのみ視認可能なものであって、その励起光が照射されていない状態においては、視認不可能なものである。そのため、透明フィルム２に印字されたバーコード情報３ａ及び識別情報３ｂは、所定の波長の励起光が照射された場合にのみ視認可能となり、励起光が照射されていない状態においては視認不可能となっている。
【００１６】
以下に、上記のように構成された管理用ラベル１の使用方法について説明する。
【００１７】
図２は、図１に示した管理用ラベル１の使用方法の一例を説明するための図である。
【００１８】
図１に示した管理用ラベル１は、図２に示すように例えば申込書５に貼付される。申込書５には、申し込み内容を記入するための申込情報記入欄５ａが設けられるとともに、申込書５の管理番号５ｂや、この管理番号５ｂがバーコードとして表現されたバーコード情報５ｄや、申込情報記入欄５ａへの申し込み内容の記入の方法や申込書５についての説明からなる説明情報５ｃが印字されている。
【００１９】
このように構成された申込書５に管理用ラベル１を貼付した場合、管理用ラベル１のラベル基材が透明フィルム２と透明な粘着剤４とから構成されているとともに、透明フィルム２に印字されたバーコード情報３ａ及び識別情報３ｂが所定の波長の励起光が照射されていない状態においては視認不可能となっているため、管理用ラベル１が貼付された領域が、説明情報５ｃが印字された領域や申込情報記入欄５ａであったとしても、その領域に印字あるいは記入された情報は管理用ラベル１を介して視認可能な状態となる。
【００２０】
このように、申込書５に管理用ラベル１が貼付された場合、申込書５の管理用ラベル１が貼付された領域に印字あるいは記入された情報は、管理用ラベル１を介して視認可能となるため、管理用ラベル１をどのような大きさのものとしても、また、管理用ラベル１を申込書５のどの領域に貼付したとしても、申込書５に印字あるいは記入された情報が視認可能となる。すなわち、管理用ラベル１の大きさや申込書５の印刷レイアウトを自由に設定することができる。
【００２１】
また、申込者が申込情報記入欄５ａに申し込み内容を記入した後に、申込情報記入欄５ａに管理用ラベル１を貼付すれば、申込情報記入欄５ａのうち管理用ラベル１が貼付された領域に記入された申し込み内容を書き換えや消去等から保護することができる。
【００２２】
また、管理用ラベル１が貼付された申込書５を偽造するために複写した場合、管理用ラベル１が複写されないため、申込書５の偽造を困難とすることができる。
【００２３】
上述したような申込書５は、例えばクレジットカードの申込書として利用される。その場合、まず、受け付け店舗において、申込書５を受け付けた際に、申込書５に印字されたバーコード情報５ｄと管理用ラベル１に印字されたバーコード情報３ａが読み取られ、これらバーコード情報３ａ，５ｄによる識別情報３ｂ及び管理番号５ｂとが対応づけて集中管理センターのサーバに送信、登録される。これにより、申込書５が受け付けられたことが管理される。また、この情報はクレジットカード会社にも送信され、それにより、クレジットカード会社に対して、バーコード情報５ｄが印字された申込書５が受け付けられた旨が通知されることになる。
【００２４】
その後、申込書５が受け付け店舗から発送される際や、申込書５が配送経路の各拠点に配送された際や各拠点から発送される際に、申込書５に印字されたバーコード情報５ｄと管理用ラベル１に印字されたバーコード情報３ａが読み取られ、これらが集中管理センターのサーバに送信されることにより、申込書５の追跡管理が可能となる。
【００２５】
申込書５がデータ管理業者に届けられると、上記同様に申込書５に印字されたバーコード情報５ｄと管理用ラベル１に印字されたバーコード情報３ａが読み取られるとともに、申込情報記入欄５ａに記入された情報が管理用パソコンから入力され、読み取られたバーコード情報３ａ，５ｄによる識別情報３ｂ及び管理番号５ｂと申込情報記入欄５ａに記入された情報とが対応づけてクレジットカード会社に送信される。また、読み取られたバーコード情報３ａ，５ｄによる識別情報３ｂ及び管理番号５ｂは集中管理センターのサーバに送信され、それにより、集中管理センターにおいて、申込書５がデータ管理業者に届けられたことが管理されることになる。
【００２６】
クレジットカード会社においては、申込書５が受け付けられた際に申込書５に印字されたバーコード情報５ｄによる管理番号５ｂが通知されているため、データ管理業者から情報が送信されてくると、その情報に含まれる管理番号５ｂによって管理されている申込書５による申し込みデータであることが認識され、申込書５の申込情報記入欄５ａに記入された情報が管理されることになる。
【００２７】
図３は、図１に示した管理用ラベル１の使用方法の他の例を説明するための図である。
【００２８】
図１に示した管理用ラベル１は、図３に示すように例えば申込書６に貼付される。申込書６には、申し込み内容を記入するための申込情報記入欄６ａや申込者が署名捺印するためのサイン欄６ｅが設けられるとともに、申込書６の管理番号６ｂや、この管理番号６ｂがバーコードとして表現されたバーコード情報６ｄや、申込情報記入欄６ａへの申し込み内容の記入の方法や申込書６についての説明からなる説明情報６ｃが印字されている。
【００２９】
このように構成された申込書６に管理用ラベル１を貼付する場合は、申込者が申込書６の申込情報記入欄６ａに申し込み内容を記入し、サイン欄６ｅに署名捺印をした後に、サイン欄６ｄに管理用ラベル１を貼付する。すると、管理用ラベル１のラベル基材が透明フィルム２と透明な粘着剤４とから構成されているとともに、透明フィルム２に印字されたバーコード情報３ａ及び識別情報３ｂが所定の波長の励起光が照射されていない状態においては視認不可能となっているため、サイン欄６ｅに署名捺印された情報が管理用ラベル１を介して視認可能な状態となる。
【００３０】
このように、サイン欄６ｅに署名捺印をした後に、サイン欄６ｅに管理用ラベル１を貼付すれば、サイン欄６ｅの署名捺印を書き換えや消去等から保護することができる。
【００３１】
（第２の実施の形態）
図４は、本発明の管理用ラベルの第２の実施の形態を示す図であり、（ａ）は表面から見た図、（ｂ）は（ａ）に示したＡ−Ａ’断面図である。
【００３２】
本形態は図４に示すように、透明フィルム１０２上に、識別情報１０３ｂ及びこの識別情報１０３ｂがバーコードとして表現されたバーコード情報１０３ａがステルスインクによって印字されて印刷層１０３が形成され、また、透明フィルム１０２の印刷層１０３とは反対側の全面には透明な粘着剤１０４が塗布されて構成されている。また、透明フィルム１０２には、非接触状態にて情報の書き込み及び読み出しが可能となるよう交信用のアンテナ（不図示）が内蔵されたＩＣチップ１０７が埋め込まれている。この透明フィルム１０２と粘着剤１０４とからラベル基材が構成される。印刷層１０３を形成するステルスインクは、所定の波長の励起光が照射された場合にのみ視認可能なものであって、その励起光が照射されていない状態においては、視認不可能なものである。そのため、透明フィルム１０２に印字されたバーコード情報１０３ａ及び識別情報１０３ｂは、所定の波長の励起光が照射された場合にのみ視認可能となり、励起光が照射されていない状態においては視認不可能となっている。なお、ＩＣチップ１０７については、透明フィルム１０２に埋め込んだ構成ではなく、透明フィルム１０２に貼付した構成としてもよい。
【００３３】
以下に、上記のように構成された管理用ラベル１０１の使用方法について説明する。
【００３４】
図５は、図４に示した管理用ラベル１０１の使用方法の一例を説明するための図である。
【００３５】
図４に示した管理用ラベル１０１は、図５に示すように例えば証明書１０５に貼付される。証明書１０５には、証明書１０５の管理番号１０５ｂや、この管理番号１０５ｂがバーコードとして表現されたバーコード情報１０５ｄや、証明すべき情報となる証明情報１０５ａが印字されているとともに、図４に示した管理用ラベル１０１を貼付する際、ＩＣチップ１０７を配置すべき位置となるＩＣチップ配置領域１０５ｃが設けられている。このＩＣチップ配置領域１０５ｃには、ＩＣチップ配置領域１０５ｃを示す情報が印字されている。
【００３６】
このように構成された証明書１０５に管理用ラベル１０１を貼付する場合は、管理用ラベル１０１のＩＣチップ１０７がＩＣチップ配置領域１０５ｃに配置されるように管理用ラベル１０１を貼付する。この際、管理用ラベル１０１のラベル基材が透明フィルム１０２と透明な粘着剤１０４とから構成されているとともに、透明フィルム１０２に印字されたバーコード情報１０３ａ及び識別情報１０３ｂが所定の波長の励起光が照射されていない状態においては視認不可能となっているため、証明書１０５に印字されたＩＣチップ配置領域１０５ｃを示す情報が管理用ラベル１０１を介して視認可能となり、ＩＣチップ１０７をＩＣチップ配置領域１０５ｃに容易に配置することができる。また、管理用ラベル１０１は、証明書１０５に印字された証明情報１０５ａの一部を覆うようになるものの、管理用ラベル１０１のラベル基材が透明フィルム１０２と透明な粘着剤１０４とから構成されているとともに、透明フィルム１０２に印字されたバーコード情報１０３ａ及び識別情報１０３ｂが所定の波長の励起光が照射されていない状態においては視認不可能となっているため、管理用ラベル１０１が貼付された領域の証明情報は管理用ラベル１０１を介して視認可能な状態となる。なお、ＩＣチップ１０７は、０．５ｍｍ角程の微小なものであるため、この管理用ラベル１０１を図２に示した管理用ラベル１のように、証明書１０５のどの部分に貼付したとしても、証明書１０５に印字あるいは記入された情報は管理用ラベル１０１を介して視認可能な状態となる。
【００３７】
以下に、図５に示したように管理用ラベル１０１が貼付された証明書１０５の取り扱い方法について説明する。
【００３８】
図６は、図５に示した証明書１０５を取り扱う際に用いるハンディターミナルの一例を示す機能ブロック図である。
【００３９】
本形態にて用いられるハンディターミナル１０は図６に示すように、管理用ラベル１０１のＩＣチップ１０７に対して情報の書き込みや読み出しを行うためのアンテナ部１５と、アンテナ部１５を介して非接触状態にてＩＣチップ１０７に情報を書き込む情報書込部１３と、アンテナ部１５を介して非接触状態にてＩＣチップ１０７から情報を読み出す情報読出部１４と、証明書１０５に印字されたバーコード情報１０５ｄや管理用ラベル１０１に印字されたバーコード情報１０３ａを読み取るバーコード読取部１６と、バーコード読取部１６にて読み取られたバーコード情報を解析するバーコード解析部１７と、所定の波長の励起光を照射する光照射部１８と、情報あるいは命令を入力するための操作部１１と、情報が表示される表示部１２と、制御部１９とから構成されている。
【００４０】
図７は、図６に示したハンディターミナル１０を用いた証明書１０５の取り扱い方法のうち証明書１０５を発行する際の処理を説明するためのフローチャートである。
【００４１】
図５に示した証明書１０５を発行する場合は、証明書１０５に管理用ラベル１０１を貼付した後（ステップＳ１）、まず、ハンディターミナル１０を用いて、証明書１０５に印字されたバーコード情報１０５ｄを読み取る（ステップＳ２）。証明書１０５に印字されたバーコード情報１０５ｄはハンディターミナル１０のバーコード読取部１６にて読み取られ、バーコード解析部１７にて解析される。これにより、証明書１０５の管理番号１０５ｂが制御部１９にて認識される。
【００４２】
また、ハンディターミナル１０を用いて、管理用ラベル１０１に印字されたバーコード情報１０３ａを読み取る（ステップＳ３）。この際、ハンディターミナル１０の操作部１１において、管理用ラベル１０１に印字されたバーコード情報１０３ａを読み取るための操作が行われると、光照射部１８からバーコード情報１０３ａが視認可能となる波長の励起光が照射され、この状態にて管理用ラベル１０１に印字されたバーコード情報１０３ａがバーコード読取部１６にて読み取られ、バーコード解析部１７にて解析される。これにより、管理用ラベル１０１の識別情報１０３ｂが制御部１９にて認識される。
【００４３】
その後、ハンディターミナル１０の情報書込部１３において、認識された証明書１０５の管理番号１０５ｂと管理用ラベル１０１の識別情報１０３ｂとがアンテナ部１５を介して管理用ラベル１０１のＩＣチップ１０７に書き込まれる（ステップＳ４）。なお、この際、証明書１０５に印字された証明情報１０５ａの少なくとも一部を操作部１１を介して入力し、情報書込部１３において、操作部１１を介して入力された証明情報を、証明書１０５の管理番号１０５ｂと管理用ラベル１０１の識別情報１０３ｂとともに管理用ラベル１０１のＩＣチップ１０７に書き込むことも考えられる。これは、その後、証明書１０５を利用する際にＩＣチップ１０７に書き込まれた情報と証明書１０５に印字された証明情報１０５ａと照合することにより、証明書１０５が偽造されたものであるかどうかの判断材料が増えて、偽造をより困難とするためである。この場合、バーコードを二次元コードとして、証明情報１０５ａの一部をこの二次元コードに記録しておけば、入力処理を簡単に行うことができる。
【００４４】
図８は、図６に示したハンディターミナル１０を用いた証明書１０５の取り扱い方法のうち証明書１０５を利用する際の処理を説明するためのフローチャートである。
【００４５】
上記のように発行された証明書１０５を利用する場合は、まず、ハンディターミナル１０を用いて、証明書１０５に印字されたバーコード情報１０５ｄを読み取る（ステップＳ１１）。証明書１０５に印字されたバーコード情報１０５ｄはハンディターミナル１０のバーコード読取部１６にて読み取られ、バーコード解析部１７にて解析される。これにより、証明書１０５の管理番号１０５ｂが制御部１９にて認識される。
【００４６】
また、ハンディターミナル１０を用いて、管理用ラベル１０１に印字されたバーコード情報１０３ａを読み取る（ステップＳ１２）。この際、ハンディターミナル１０の操作部１１において、管理用ラベル１０１に印字されたバーコード情報１０３ａを読み取るための操作が行われると、光照射部１８からバーコード情報１０３ａが視認可能となる波長の励起光が照射され、この状態にて管理用ラベル１０１に印字されたバーコード情報１０３ａがバーコード読取部１６にて読み取られ、バーコード解析部１７にて解析される。これにより、管理用ラベル１０１の識別情報１０３ｂが制御部１９にて認識される。
【００４７】
次に、ハンディターミナル１０の情報読出部１４において、管理用ラベル１０１のＩＣチップ１０７に書き込まれた情報がアンテナ部１５を介して読み出される（ステップＳ１３）。管理用ラベル１０１のＩＣチップ１０７には、証明書１０５の管理番号１０５ｂと、管理用ラベル１０１の識別情報１０３ｂと、証明書１０５に印字された証明情報１０５ａの少なくとも一部が書き込まれているため、これらの情報が情報読出部１４にて読み出され、ハンディターミナル１０の制御部１９にて認識されることになる。
【００４８】
その後、ハンディターミナル１０の制御部１９において、情報読出部１４にてＩＣチップ１０７から読み出された情報に、バーコード読取部１６にて読み取られ、バーコード解析部１７にて解析された証明書１０５の管理番号１０５ｂと管理用ラベル１０１の識別情報１０３ｂとが含まれているかどうかが確認される（ステップＳ１４）。
【００４９】
情報読出部１４にてＩＣチップ１０７から読み出された情報に、バーコード読取部１６にて読み取られ、バーコード解析部１７にて解析された証明書１０５の管理番号１０５ｂと管理用ラベル１０１の識別情報１０３ｂとが含まれている場合は、管理用ラベル１０１のＩＣチップ１０７に書き込まれた情報が改竄されておらず、証明書１０５が偽造されたものでないと判断され、ハンディターミナル１０の表示部１２にその旨が表示される（ステップＳ１５）。また、ＩＣチップ１０７から読み出された証明書情報と、証明書１０５に印字された証明情報１０５ａとを比較して、両者に相違がないことを確認することにより、偽造の有無を判断することも可能である。
【００５０】
一方、情報読出部１４にてＩＣチップ１０７から読み出された情報に、バーコード読取部１６にて読み取られ、バーコード解析部１７にて解析された証明書１０５の管理番号１０５ｂと管理用ラベル１０１の識別情報１０３ｂとが含まれていない場合は、管理用ラベル１０１のＩＣチップ１０７に書き込まれた情報が改竄されており、証明書１０５が偽造されたものである可能性があると判断され、ハンディターミナル１０の表示部１２にその旨が表示される（ステップＳ１６）。これは、管理用ラベル１０１のＩＣチップ１０７に書き込まれた情報が改竄されているということは、証明書１０５に印字された証明情報１０５ａが改竄され、それに合わせてＩＣチップ１０７に書き込まれた情報も改竄されたものと考えられ、すなわち、証明書１０５が偽造されたと考えられるためである。
【００５１】
このように本形態においては、管理用ラベル１０１が貼付された証明書１０５を発行する際に、管理用ラベル１０１に印字されたバーコード情報１０３ａによる識別情報や証明書１０５に印字されたバーコード情報１０５ｄによる管理番号をＩＣチップ１０７に書き込んでおき、その後、証明書１０５を利用する際に、管理用ラベル１０１に印字されたバーコード情報１０３ａや証明書１０５に印字されたバーコード情報１０５ｄを読み取り、これらをＩＣチップ１０７に書き込まれた情報と照合するため、管理用ラベル１０１が貼付された証明書１０５を発行する際にＩＣチップ１０７に書き込まれた情報が改竄されていないかどうかや、管理用ラベル１０１や証明書１０５が偽造されたものでないかどうかを検出することができる。
【図面の簡単な説明】
【００５２】
【図１】本発明の管理用ラベルの第１の実施の形態を示す図であり、（ａ）は表面から見た図、（ｂ）は（ａ）に示したＡ−Ａ’断面図である。
【図２】図１に示した管理用ラベルの使用方法の一例を説明するための図である。
【図３】図１に示した管理用ラベルの使用方法の他の例を説明するための図である。
【図４】本発明の管理用ラベルの第２の実施の形態を示す図であり、（ａ）は表面から見た図、（ｂ）は（ａ）に示したＡ−Ａ’断面図である。
【図５】図４に示した管理用ラベルの使用方法の一例を説明するための図である。
【図６】図５に示した証明書を取り扱う際に用いるハンディターミナルの一例を示す機能ブロック図である。
【図７】図６に示したハンディターミナルを用いた証明書の取り扱い方法のうち証明書を発行する際の処理を説明するためのフローチャートである。
【図８】図６に示したハンディターミナルを用いた証明書の取り扱い方法のうち証明書１０５を利用する際の処理を説明するためのフローチャートである。
【符号の説明】
【００５３】
１，１０１    管理用ラベル
２，１０２    透明フィルム
３，１０３    印刷層
３ａ，５ｄ，６ｄ，１０３ａ，１０５ｄ    バーコード情報
３ｂ，１０３ｂ    識別情報
４，１０４    粘着剤
５，６    申込書
５ａ，６ａ    申込情報記入欄
５ｂ，６ｂ，１０５ｂ    管理番号
５ｃ，６ｃ    説明情報
６ｅ    サイン欄
１０    ハンディターミナル
１１    操作部
１２    表示部
１３    情報書込部
１４    情報読出部
１５    アンテナ部
１６    バーコード読取部
１７    バーコード解析部
１８    光照射部
１９    制御部
１０５ａ    証明情報
１０５ｃ    ＩＣチップ配置領域
１０７    ＩＣチップ
【図１】
2007101574.tif 000003
【図２】
2007101574.tif 000004
【図３】
2007101574.tif 000005
【図４】
2007101574.tif 000006
【図５】
2007101574.tif 000007
【図６】
2007101574.tif 000008
【図７】
2007101574.tif 000009
【図８】
2007101574.tif 000010